(57)【要約】移動局ＭＳ内のコンピュータ可読媒体の形で統合されたコンピュータプログラムが、第１のメディア（音楽またはビデオ）ファイルと関連づけられた、曲のタイトルのような第１の識別子と、第２のメディアファイルを用いて特定される第２の識別子とを表示する命令を備える。上記第１の識別子は、上記第１のメディアファイルがＭＳに格納されていることを示し、上記第２の識別子は、上記ファイルがＭＳ内に格納されていないことを示す。５つのこのような識別子が開示され、該識別子は、ＰＣまたはネットワーク化されたサーバから、上記メディアファイルのアップロード／ダウンロードを同時に１回以上行う機能性を有する。同様に、再生リストおよびアルバムをそれらの識別子の形で示すことも可能となる。ユーザは、どのようなメディアファイルがＭＳに格納されているかに関係なく、再生リストの作成と編集とをＭＳにおいて行うことが可能となる。ＭＳは、ＰＣで保守管理が行われるデータベース用のファイル識別子か、メディアサービス用サーバ側で保守管理が行われる大規模データベースか、若しくは該データベースの一部かの格納を行うことも可能である。移動局についても記載される【選択図】図３
2007534009.tif 000002
【特許請求の範囲】
【請求項１】
移動局ＭＳ内においてコンピュータ可読媒体に統合されるコンピュータプログラムであって、
デジタルメディアファイルと個々に関連づけられた複数の識別子を表示するための第１のセットのコンピュータ命令を備え、
第１の識別子が、前記第１の識別子と関連づけられた第１のメディアファイルが前記ＭＳ内に格納されていることを示し、
第２の識別子が、前記第２の識別子と関連づけられた第２のメディアファイルが前記ＭＳ以外のロケーションに格納されていることを示すコンピュータプログラム。
【請求項２】
前記識別子がメディアファイルのタイトルを含み、前記タイトルの異なるフォントと、前記タイトルの異なる色と、前記タイトルの異なるシェードと、前記タイトルに隣接して表示される異なるアイコンと、のうちの少なくとも１つによって前記第１の識別子と第２の識別子とを区別する請求項１に記載のコンピュータプログラム。
【請求項３】
データベースとの接続を確立し、ユーザ入力に応じて前記第２のメディアファイルを前記ＭＳへコピーするための第２のセットのコンピュータ命令をさらに備えた請求項１に記載のコンピュータプログラム。
【請求項４】
前記データベースがネットワーク上にサーバを有し、前記移動局を電子的に結合したパーソナルコンピュータを介して前記移動局から前記サーバへの接続が行われる請求項３に記載のコンピュータプログラム。
【請求項５】
前記第２の識別子と関連づけられた第２のメディアファイルがＰＣ内に格納されていて、前記ＭＳ内には格納されていないことを前記第２の識別子によって示し、
前記第１のセットのコンピュータ命令が第３の識別子をさらに表示し、該第３の識別子と関連づけられた第３のメディアファイルが前記ＭＳまたは前記ＰＣ内に格納されていないことを前記第３の識別子によって示す請求項３に記載のコンピュータプログラム。
【請求項６】
前記対応するユーザ入力が前記第２の識別子を選択するとき、前記第２のメディアファイルをアップロードするために、前記第２のセットのコンピュータ命令が前記ＰＣとのローカル接続を開始し、次いで、ユーザ入力が前記第３の識別子を選択するとき、データ通信ネットワークを介して前記第３のメディアファイルをダウンロードするために、該第２のセットのコンピュータ命令がメディアサービス用サーバとの移動電話接続を開始する請求項５に記載のコンピュータプログラム。
【請求項７】
複数のデジタルメディア識別子と関連づけられた再生リスト名を表示する第３のセットのコンピュータ命令を備え、
前記第１の再生リスト名と関連づけられた前記デジタルメディア識別子と関連づけられたすべてのデジタルメディアファイルを前記ＭＳ内に格納するとき、前記再生リスト名を第１の形態で表示し、
前記第１の再生リスト名と関連づけられた前記デジタルメディア識別子と関連づけられた少なくとも１つの、但し、すべてではないデジタルメディアファイルを前記ＭＳ内に格納するとき、前記再生リスト名を第２の形態で表示し、
前記第１の再生リスト名と関連づけられた前記デジタルメディア識別子と関連づけられたデジタルメディアファイルが前記ＭＳ内に格納されていないとき、前記再生リスト名を第３の形態で表示する請求項１に記載のコンピュータプログラム。
【請求項８】
前記第３のセットのコンピュータ命令が、前記第１、第２および第３の形態で、個々に、少なくとも２つの再生リスト名を同時に表示し、かつ、前記少なくとも２つの再生リストのいずれかと関連づけられたデジタルメディア識別子を同時には表示しない請求項７に記載のコンピュータプログラム。
【請求項９】
前記第２または第３の形態で表示される再生リストの選択と、前記ＭＳに格納する新たなファイルの要求との双方をユーザが行うこととに応動して、データベースとの接続を開始すると共に、ユーザが選択した再生リストの前記デジタルメディア識別子と関連づけられるが前記ＭＳに格納されていない音楽ファイルを該データベースからコピーする、第４のセットのコンピュータ命令をさらに含む請求項８に記載のコンピュータプログラム。
【請求項１０】
前記データベースがＰＣ内に格納され、前記接続が前記ＰＣとのローカル接続を含む請求項９に記載のコンピュータプログラム。
【請求項１１】
前記データベースがメディアサービス用サーバ内に格納され、前記接続がインターネットを介する移動電話接続を含む請求項９に記載のコンピュータプログラム。
【請求項１２】
前記第２の識別子と関連づけられた前記第２のメディアファイルが、前記ＭＳと事前に同期されたＰＣ内に格納されていることを前記第２の識別子が示す請求項１に記載のコンピュータプログラム。
【請求項１３】
前記複数の識別子が、
第３の識別子を含み、前記ＭＳ内に、並びに、ローカルリンクを介して前記ＭＳと結合されたＰＣ内に、第３の識別子と関連づけられた第３のメディアファイルが格納されていることを該第３の識別子が示す請求項１２に記載のコンピュータプログラム。
【請求項１４】
前記複数の識別子が、
第４の識別子を含み、前記ＭＳ内に、あるいは、前記ＭＳから離れたところに在る、ローカルリンクを介して前記ＭＳとリンクされた装置に第４の識別子と関連づけられた第４のメディアファイルが格納されず、移動電話リンクを介して前記ＭＳとリンクされたサーバ内に、該第４のメディアファイルが格納されていることを該第４の識別子が示す請求項１３に記載のコンピュータプログラム。
【請求項１５】
ホスト装置内のコンピュータ可読媒体に統合されたコンピュータプログラムであって、
第１のメディアファイルと、前記第１のメディアファイルと関連づけられた第１の識別子とをホスト装置内に格納するための第１のセットのコンピュータ命令と、
前記ホスト装置内に格納されていない第２のメディアファイルと関連づけられた第２の識別子をホスト装置内に格納するための第２のセットのコンピュータ命令と、
前記ホスト装置がネットワークと結合されているかどうかにかかわりなく、前記第１および第２の識別子の双方を表示するための第３のセットのコンピュータ命令と、を含むコンピュータプログラム。
【請求項１６】
特定の音楽識別子と関連づけられたメディアファイルが前記ホスト装置内に格納されているかどうかにかかわりなく、前記ホスト装置内に格納されたメディア識別子の再生リストをユーザが作成し、編集できるようにするための第４のセットのコンピュータ命令をさらに含む請求項１５に記載のコンピュータプログラム。
【請求項１７】
前記ホスト装置とパーソナルコンピュータとの間で音楽ファイルと再生リストとを同期させるための第５のセットのコンピュータ命令をさらに含むコンピュータプログラムであって、前記ホスト装置から削除されたメディアファイルが、ローカルリンクを介して前記ホスト装置と選択的に結合された別の装置から自動的に削除されない請求項１６に記載のコンピュータプログラム。
【請求項１８】
前記第２のセットのコンピュータ命令が、別の装置からローカル接続を介して識別子のデータベースをアップロードし、該識別子のデータベースを前記別の装置に格納されたメディアファイルと個々に関連づけて格納する請求項１５に記載のコンピュータプログラム。
【請求項１９】
前記別の装置がＰＣである請求項１８に記載のコンピュータプログラム。
【請求項２０】
前記第２のセットのコンピュータ命令が、移動電話接続とインターネットとを介して、メディアサービス用サーバから識別子のデータベースをダウンロードし、該識別子のデータベースを前記サーバ側に格納されているメディアファイルと個々に関連づけて格納する請求項１５に記載のコンピュータプログラム。
【請求項２１】
前記識別子のデータベースが前記サーバ側に格納されているすべての識別子のサブセットであり、少なくとも１つのユーザの好みによって前記サブセットが画定される請求項２０に記載のコンピュータプログラム。
【請求項２２】
前記ホスト装置が移動局である請求項１５に記載のコンピュータプログラム。
【請求項２３】
第１の複数のメディアファイルと、第２の複数のファイル名とを格納するための内部格納媒体と、
前記第１の複数のメディアファイルの各々をファイル名に対応づける、前記内部格納媒体と結合されたプロセッサと、
一連のファイル名を表示するための、前記プロセッサと結合された表示インタフェースであって、前記第１の複数のメディアファイルのうちの１つのメディアファイルに対応づけられた個々のファイル名を第１の特徴と共に表示し、前記第１の複数のメディアファイルのうちの１つのメディアファイルに対応づけられていない個々のファイル名を前記第１の特徴以外の特徴と共に表示する表示インタフェースと、を備える移動局。
【請求項２４】
前記プロセッサが、前記第１の複数のメディアファイルのうちの１つのメディアファイルに対応づけられていない少なくとも１つのファイル名を前記移動局から離れたところに在る別の格納位置とさらに対応づけるようにする移動局であって、
前記表示インタフェースが、第２の特徴と共に前記別の格納位置に対応づけられた個々のファイル名を表示する請求項２３に記載の移動局。
【請求項２５】
無線電話リンクと、無線ピコネットリンクと、無線ＬＡＮと、無線光リンクとのうちの１つを介して前記別の格納位置とリンクする手段を備える移動局であって、前記プロセッサが、前記第１の複数のメディアファイル内に存在しない追加メディアファイルを求める要求を伝送し、前記追加メディアファイルが、前記第２の特徴を含む表示ファイル名に対応し、ユーザにより選択される請求項２４に記載の移動局。
【請求項２６】
ユーザにより選択された前記ファイル名が前記内部格納媒体に格納され、前記プロセッサが、ユーザのコマンド入力時に前記追加メディアファイルを求める要求を伝送する請求項２５に記載の移動局。
【請求項２７】
ユーザのコマンド入力時に通信リンクが確立されていないとき、前記ユーザのコマンド入力に応じて、次の通信リンクの確定時に前記プロセッサが前記要求を伝送する請求項２５に記載の移動局。
【請求項２８】
予想リンクが最低限のデータ交換速度を満たしていると前記移動局が判断したとき、前記リンクの次の確定が自動的に確立される請求項２７に記載の移動局。
【請求項２９】
前記移動局が、前記リンクのうちの少なくとも２つのリンクにわたってリンクする手段をさら備え、さらに、前記プロセッサが、前記リンクのうちの１つのリンクを選択して、データスループットの比較に基づいて前記リンクにわたる確立を行うようにする請求項２５に記載の移動局。
【請求項３０】
前記表示インタフェースが、前記内部格納媒体または前記別の格納位置のいずれにも対応づけられていない個々のファイル名に対して第３の特徴と共にさらに表示を行う表示インタフェースである請求項２４に記載の移動局。
【請求項３１】
前記第１および第２の特徴が、フォント、色、シェード、背景、並びに、前記ファイル名に隣接して表示されるアイコンのうちの少なくとも１つの点で異なる請求項２４に記載の移動局。
【請求項３２】
無線リンクを介して追加ファイル名を受信する受信装置をさらに備えた移動局であって、前記プロセッサが、前記追加ファイル名を反映するために前記対応付けを更新し、前記表示インタフェースが、前記第１の特徴と、前記第１の特徴以外の特徴とのうちの一方の特徴を含む前記追加ファイル名を前記プロセッサによる対応付けと一致して表示する請求項２３に記載の移動局。
【請求項３３】
前記無線リンクを介して受信した追加ファイル名の再生リスト内に前記追加ファイル名が含まれる移動局であって、前記プロセッサが、前記再生リスト内の個々のファイル名に対する更新を行い、さらに、前記表示インタフェースが、前記第１の特徴と、前記第１の特徴以外の特徴とのうちの一方の特徴を含む前記再生リスト内の個々のファイル名を前記プロセッサによる対応付けと一致して表示する請求項３２に記載の移動局。
【請求項３４】
前記内部格納媒体が第３の複数のファイル名と関連づけられた再生リスト名をさらに格納し、前記表示インタフェースが、
前記第３の複数のファイル名の個々のファイル名が、前記プロセッサによって前記第１の複数のメディアファイルのうちの１つのメディアファイルに対応づけられている場合には、第３の特徴を、
前記第３の複数のファイル名のうちのいくつかのファイル名ではあるが、すべてではないファイル名が、前記プロセッサによって前記第１の複数のメディアファイルのうちの１つのメディアファイルに対応づけられている場合には、第４の特徴を、
前記第３の複数のファイル名のうちのいずれのファイル名も、前記プロセッサによって前記第１の複数のメディアファイルのうちの１つのメディアファイルにも対応づけられていない場合には、第５の特徴を含む前記再生リスト名をさらに表示するようになっている移動局であって、
前記第１および第３の特徴が同一であってもよく、さらに、前記第４および第５の特徴のうちの一方の特徴が前記第２の特徴と同一であってもよい請求項２３に記載の移動局。
【請求項３５】
前記第３の複数のファイル名のうちのいくつかのファイル名であるが、すべてではないファイル名が、前記プロセッサによって前記第１の複数のメディアファイルのうちの１つのメディアファイルに対応づけられ、かつ、前記第３の複数のファイル名のうちのいくつかのファイル名ではあるが、すべてではないファイル名が、前記プロセッサによって前記移動局から離れたところに在る記憶位置に対応づけられている場合には、前記第４の特徴を含む前記再生リスト名を前記表示インタフェースが表示する請求項３４に記載の移動局。
【請求項３６】
無線電話リンクと、ケーブルリンクと、無線ピコネットリンクと、無線ＬＡＮと、無線光リンクとのうちの１つを介して前記別の格納位置とリンクする手段をさらに備え、
前記プロセッサが、コマンド入力および前記再生リスト名のユーザ選択に応じて個々のメディアファイルを求める要求を伝送し、前記プロセッサが、該個々のメディアファイルに対して前記第３の複数のファイル名のうちの前記ファイル名を前記別の格納位置に対応づける請求項３５に記載の移動局。
【発明の詳細な説明】
【技術分野】
【０００１】
本発明は、移動局のようなメモリが限定された装置、並びに、パーソナルコンピュータのようなより大きなメモリを備えた装置の一方または双方に格納されたファイルの同期および管理に関する。本発明は、特に、携帯用装置と非携帯用装置との間で音楽ファイルを管理するソフトウェアを目的とするものである。
【背景技術】
【０００２】
ポピュラー音楽の著作権所有者たちは、やっと最近になって、インターネットのような電子ネットワークを介して彼らが著作権を有する作品のデジタルコピーのダウンロードを承認するようになった。ダウンロードを行う１つの人気のあるウェブサイトとして、http://www.apple.com/itunes/があり、このウェブサイトで、ユーザはパーソナルコンピュータ（ＰＣ）等を介して音楽サービスのウェブサイトを訪問し、曲のタイトルを手動で選択し、選択した曲のデジタルバージョンを用いてウェブサイトを訪問するのに使用したＰＣへダウンロードする。次いで、ユーザは、Ｒｉｏ（登録商標）、ｉＰｏｄ（登録商標）、あるいは、別のこのような専用の携帯用デジタル音楽プレイヤのような、これらの曲の再生、転送、携帯用装置へのアップロードをＰＣで行う。
【０００３】
専用の携帯用デジタル音楽プレイヤは、１００００曲またはそれ以上のデジタル曲のファイルと、これらの曲に関する索引情報とを格納する記憶容量を現在有している。ユーザは、移動中に、彼らのデジタル曲のコレクション全体を実質的に携帯し、再生リストを作成し、編集することが可能ではあるが、結果として得られる再生リストは、専用の携帯用装置に格納されたこれらの曲のみに限定される。このような専用装置には音楽サービスから曲のダウンロードを直接行う機能が設けられていない。この機能は、ネットワーク接続を有するＰＣや同様の装置の中に残っている。上記のようなネットワークからのダウンロード機能を有する携帯用装置（インターネットブラウズ機能を有する移動局ＭＳなど）は現在、その限られたメモリのうちの十分なメモリを数千曲もの曲の格納と索引とを行うためのみの専用メモリとして充てることはできない（もっとも、このような制限は、科学技術の進歩によってすぐに解決されることになるかもしれないものではあるが）。
【０００４】
さらに、曲のファイルが削除された削除元の（ＭＡＣ  ＰＣなどの）コンパニオン装置との同期が行われる際に、（ｉＰｏｄ（登録商標）およびＮｏｍａｄ（登録商標）のような）少なくともいくつかの人気のある携帯用の専用音楽装置用同期ソフトウェアでは、（専用の携帯用装置などの）１つの装置から曲のファイルの削除が行われる。言い換えれば、いずれかの装置から曲のファイルを削除することは、ユーザがすでにその曲を購入して所有しているという事実にもかかわらず、次の同期中、いずれかの装置のその曲のコピーの残りすべての曲の削除が生じることになる。その場合、ＰＣは、携帯用装置へ曲を再アップロードする実行可能なライブラリソースとして機能することはできない。本願発明者らの知る限りでは、特定の曲のファイルの唯一の残りのコピーがまさに削除されようとしていることについてユーザに注意を促すようなことは行われないため、同期ソフトウェアによって、知らない間にユーザの曲のファイルライブラリが減らされることになる。これらの各局面によってユーザは自分のデジタル音楽ファイルライブラリ全体の保守管理を携帯用装置で行わざるを得なくなる。ＰＣは、曲のダウンロードのためだけに利用されて、おそらく再生リストの作成と編集とが行われることになるが、音楽ファイルのリポジトリとしての利用は行われなくなる。
【０００５】
移動局を利用して音楽の格納と再生とを行う場合、ユーザは、移動中に新しい曲のダウンロードを行うことができるという利点は得られるが、自分の音楽コレクション全体をユーザが携帯して持ち歩けるという利点を失うことになる。その場合、ユーザはＭＳにアップロードし、ＭＳに格納した曲の管理にさらに多くの精力を注ぐ必要がある。詳細には、ユーザは自分の意図する音楽を選択し、ＭＳを介して聞き、再生リストの作成及び／又は編集を行い、さらに、望まない曲をＭＳから削除し、ＭＳに予め格納されていない新たな再生リスト内の任意の曲（並びに新たな再生リスト自体）をＰＣからＭＳへアップロードする必要がある。一般に、ＭＳへの曲のアップロードを望むとき、ユーザは、新たな再生リストを作成したり、新しい曲をＰＣで選択したりする。そして、ＭＳのすべての曲は自動的に削除され、ユーザが開始するとき、新しく選択した曲と再生リストとがアップロードされることになる。これは、音楽ファイル用として利用可能な状態で残っているＭＳ内のメモリに、ユーザが（ＰＣ側で）選択した曲を格納できるようにするためである。１つの曲がＭＳへアップロードされるとすぐに、再生リストにあるその曲の保守管理を連続して行うために上述のような同期用ソフトウェアの利用が必要となる。このような同期ソフトウェアを利用しなければ、その曲のすべてのコピーが失われてしまうことになる。
【０００６】
１つの代替例として、ユーザが２つの異種の装置、すなわち、移動中に音楽サービスから曲をダウンロードするための移動電話用のＭＳと、ＭＳ単体で利用可能な場合よりもさらに多種多様の曲の格納と再生を行うための専用の携帯用音楽プレイヤとを持ち運ぶ例がある。この例は、利用可能なハードウェアおよびソフトウェアの現状に与えられる消費者の支配的好みであるように思われる。
【０００７】
本願発明者らは、移動中に個人用の音楽と移動電話機能との双方を望むユーザにとって、上記オプションのいずれも最適なものではないと推量する。本発明は、ＭＳに格納され、ＭＳにより再生される曲と再生リストとを管理するユーザの能力を能率的にしながら、ネットワーク化された音楽サービスから新しい曲を直接ダウンロードする際にＭＳによって提供される利点をそのまま保持することを目的とするものである。
【発明のまとめ】
【０００８】
１つの実施形態では、本発明は、ホスト装置、好適には移動局ＭＳ内のコンピュータ可読媒体に統合されたコンピュータプログラムである。このコンピュータプログラムは、デジタルメディアファイルと個々に関連づけられた複数の識別子を表示するための第１のセットのコンピュータ命令を備えるものである。識別子は曲のタイトル、アーティスト等であってもよい。第１の識別子は、上記第１の識別子と関連づけられた第１のメディアファイルが上記ホスト装置内に格納されていることを示す。第２の識別子は、上記第２の識別子と関連づけられた第２のメディアファイルが上記ホスト装置内に格納されていないことを示す。好適には５つの識別子を設けることが望ましい。すなわち、１つの識別子は、メディアファイルがホスト装置に格納されていることを示すものである。１つの識別子は、メディアファイルが、ローカルリンクを介して時折ホスト装置と結合される別の装置に格納されていることを示すものである。１つの識別子は、メディアファイルが、上記別の装置における削除用としてマークされていることを示すものである。１つの識別子は、メディアファイルが、ホスト装置と別の装置の双方に格納されていることを示すものである。１つの識別子は、メディアファイルが、ホスト装置と、別の装置のいずれにも格納されていなくて、ユーザにより事前に購入されたものであることを示すものである。そして、最後の１つの識別子は、メディアファイルが、ユーザにより購入されたものではなく、よりグローバルなの非ローカル化ネットワークを介して利用可能であることを示すものである。好適には、ホスト装置はＭＳであり、別の装置はＰＣであることが望ましい。
【０００９】
別の実施形態では、本発明は、ＭＳやＰＣのようなホスト装置内のコンピュータ可読媒体に統合されたコンピュータプログラムである。このコンピュータプログラムには、第１のメディアファイルと、該第１のメディアファイルと関連づけられた第１の識別子とをホスト装置内に格納するための第１のセットのコンピュータ命令が含まれる。上記コンピュータプログラムには、上記ホスト装置内に格納されていない第２のメディアファイルと関連づけられた第２の識別子をホスト装置内に格納するための第２のセットのコンピュータ命令も含まれる。さらに、上記コンピュータプログラムには、上記ホスト装置がネットワークと結合されているかどうかにかかわりなく、上記第１および第２の識別子の双方を表示するための第３のセットのコンピュータ命令が含まれる。このようにして、ホスト装置が個々の表示された識別子と関連づけられたメディアファイルを該ホスト装置内に格納しているかどうかにかかわらず、上記コンピュータプログラムはメディアファイルのタイトルや別の識別子を表示することが可能である。
【００１０】
さらに別の実施形態では、本発明は、内部格納媒体、プロセッサおよび表示インタフェースを備えた移動局である。上記内部格納媒体は第１の複数のメディアファイルと第２の複数のファイル名とを格納する。移動局内に格納された或る一定のオーディオ／ビジュアルタイプのすべてのメディアファイルは、例えば、すべての音楽ファイル、すべての静止画像ファイル、すべてのビデオファイルなどからなる第１の複数ファイル内に存在する。メディアファイルとは、再構成を行うことが可能な、人間が知覚できるオーディオ信号及び／又はビデオ信号のソースであるデジタルファイルである。プロセッサは、第１の複数のメディアファイルの各々を第２の複数のファイル名に対応づける。表示された第２の複数のファイル名の個々のファイル名（これらファイル名のうちのいずれも個別にまたは組み合わせて表示可能である）に対して、メディアファイルに対応づけられたファイル名は第１の特徴を用いて表示され、メディアファイルに対応づけられたファイル名は第１の特徴以外の特徴を用いて表示される。好適には、第１の特徴以外の特徴を用いて表示されるメディアファイルのうちのいくつかは、移動局から離れたところに在る別の格納位置に対応づけられ、これらのメディアファイルは、フォントや、色や、シェーディングや、背景、あるいは、ファイル名に隣接して表示されるアイコンの点で第１の特徴とは異なる第２の特徴を用いて表示されることが望ましい。
【００１１】
移動局は、ケーブルリンク、無線ピコネットリンク並びに無線光リンクを無線電話リンクのうちの１つのリンクを介してリンクする手段をさらに備えたものであってもよい。これらの手段は当業で公知のものである。本例では、プロセッサは、第１の複数のメディアファイル内に存在しない追加メディアファイルを求める要求を伝送する。上記追加メディアファイルは第２の特徴を用いて表示されるファイル名に対応するものであり、ユーザにより選択される。ユーザが選択した上記ファイル名は内部格納媒体に格納してもよく、次いで、プロセッサは、専らユーザコマンドの入力時や、（上記のように）移動局と別の格納位置間での次のリンクの確立時に自動的に行われるような、その後行われるユーザのコマンド入力時に追加メディアファイルを求める要求を伝送する。上記別の格納位置は、ＰＣまたはインターネットや別のネットワーク上のサーバであってもよい。ファイル名によっては、ＰＣに対応づけられるものもあれば、サーバに対応づけられるものもある。その場合、サーバまたはＰＣのうちの一方に対応づけられたファイル名は第２の特徴を用いて表示され、ＰＣまたはサーバの他方に対応づけられたファイル名は第３の特徴を用いて表示される。移動局が、電子メールなどを介して新たなファイル名を受信したり、ＰＣとの同期などによって新たなメディアファイルを受信したり、あるいは、サーバから新たなメディアファイルをダウンロードしたりすると、プロセッサが対応づけを更新し、表示インタフェースがその更新を反映することになる。
【００１２】
ファイル名の場合と同様、内部格納媒体は再生リスト名と関連づけられた第３の複数のファイル名を格納することも可能であり、表示インタフェースがプロセッサの対応付けに従って再生リスト名の表示を行う。上記第３の複数のファイル名は、第２の複数のファイル名と共通のファイル名を有していてもよいし、有していなくてもよい。再生リストの個々のファイル名が内部の記憶媒体に格納されたメディアファイルに対応している場合、再生リスト名は第３の特徴を用いて表示される。この第３の特徴は、第１の特徴と同じものであってもよいし、同じでなくてもよい。いくつかのファイル名は対応するが、すべてのファイル名が対応するわけではない場合には、再生リスト名は第４の特徴を用いて表示される。再生リスト名のいずれも対応しない場合には、再生リスト名は第５の特徴を用いて表示される。再生リスト名に用いられる第４または第５の特徴のいずれかの（好適には第４の）特徴は、ファイル名に用いられる第２の特徴と同じものであってもよい。ユーザは再生リスト名を選択し、別の格納位置（この格納位置はＰＣまたはサーバであってもよい）から個々のメディアファイルを受信することができる。上記個々のメディアファイルは、プロセッサが再生リストと関連づけられたファイル名を別の格納位置に対応づけたファイルである。好適には、再生リスト名を選択するユーザから時間的に隔てることのできるコマンド入力に応じて、上記制御処理を上記のように行うことが望ましい。
【００１３】
添付図面と共に以下の説明を参照しながら、本発明の実施形態の上記特徴並びに別の特徴、局面および利点を明らかにする。しかし、上記図面は、例示を目的として設計されたものであって、本発明を限定する規定として設計されたものではないことを理解されたい。
【詳細な説明】
【００１４】
本発明並びにその実施形態の説明時に以下の用語を用いることにする。移動局ＭＳは、公衆交換電話ネットワークと結合された基地局の移動電話ネットワークを介して、インターネットのような非ローカル化ネットワークに無線でアクセス可能なハンドヘルド型携帯用装置である。携帯電話、ＰＣＳ電話およびインターネット機能を備えた個人用情報機器（ＰＤＡ）がＭＳの例として挙げられる。パーソナルコンピュータＰＣはハンドヘルド型装置のサイズよりも大きな計算機であり、ネットワークにアクセスする能力を備えたものである。このアクセスは有線接続または無線ローカルエリアネットワークを介して行うことも可能である。場合よっては、ＰＣが、ＷＬＡＮおよびボイス・オーバーインターネットプロトコルを利用するウェブ・フォンを経由する無線移動電話機能を備えているものもあるが、ＰＣのサイズによって、並びに、ＰＣがより幅の広いネットワークにアクセスするのに基地局を利用しないことによって、ＰＣはＭＳと区別される。というのは、基地局は、従来、移動電話というコンテキストで理解されているからである。デスクトップ型ＰＣ、ラップトップ型ＰＣまたはパームトップ型ＰＣ、あるいはウェブ−ＴＶがＰＣの例として挙げられる。ほとんど全ての場合、ＰＣは、ＭＳ内には存在しない標準キーボードによって区別される。デジタル音楽ファイルとは、ＣＤに記録された、あるいは、ネットワークからダウンロードした人気曲のようなデジタル形式に縮小されたオーディオ作品である。デジタルメディアファイルと関連づけられた識別子とは、曲のタイトル、アーティスト、アルバム／ＣＤ、ジャンル等のような索引付けと類別とが可能な任意の手段である。埋め込まれたＩＳＲＣ（国際標準レコーディングコード）、ＵＰＣ（一般製品コード）あるいはＥＡＮ（ヨーロッパ製品番号）を利用して、ある特定のレコーディングやデジタル音楽あるいはメディアファイルを一意に特定することも可能である。メディアファイルとは、人間が知覚できるオーディオ信号及び／又はビデオ信号から得られるデジタルファイルであり、このデジタルファイルは再構成されたものであってもよい。（ｉＰｏｄ（登録商標）やＲｉｏ（登録商標）装置で再生が可能であるような）人気曲のデジタルバージョンやミュージックビデオがメディアファイルの例として挙げられる。
【００１５】
図１は、本発明の最大の柔軟性が示されている通信システム２０を描く図である。ユーザインタフェースの表示画面２４並びに一連のボタン２６や他の入力手段がＭＳ２２によって画定され、これらの手段によってユーザはＭＳへの入力を行うことが可能となる。ボタン等を介して入力されるような上記ユーザ入力は音声コマンドを介して入力することも可能であり、その場合、ＭＳ２２は上記のように作動可能となる。ＭＳ２２は移動電話機能を有し、この機能によってＭＳ２２は無線電話リンク３０を介し、基地局２８を経由する無線電話コールの送受信が可能となる。基地局３０は、好適には、当業で公知のようにコミュニケーション・サーバ３４とつながる有線接続（図示のように）を介して非ローカル化ネットワーク３２と結合され、ＭＳ２２は、上記コミュニケーション・サーバ３４を介して音楽サービス用サーバ３６のような、デジタル音楽ファイルの商用プロバイダにアクセスすることが可能となる。ネットワーク３２はインターネットであり、かつ、ＭＳが互換性を有するブラウザプログラムを備えている場合、ＭＳ２２は、移動リンク３０を介して音楽サービス３６からデジタル音楽ファイルを直接ダウンロードすることも可能である。
【００１６】
システム内には、標準型キーボードのような入力用キーボード４０および表示画面４２を有するパーソナルコンピュータＰＣ３８も設けられている。ＭＳ２２とＰＣ３８とは、ローカルリンク４４を介して時折通信状態になる。このローカルリンク４４は無線ブルートゥースリンク、はめ込み型プラグ構成装置を介して、あるいは、クレイドル等を介してＭＳ２２と結合可能な有線ケーブル接続であってもよい。ローカルリンク４４は短距離リンクであり、一般に約５０フィートに制限される。移動電話リンク３０は、ローカルリンク４４よりもずっと長い距離にわたって実行可能であり、タイプと電波の到達距離の双方の点でローカルリンク４４とは異なるものである。ＰＣ３８は、（図示のような）有線接続やＷＬＡＮ接続などを介するインターネットサービスプロバイダのサーバ４６を介して非ローカルネットワーク３２とコンタクトを行う。この場合、ＷＬＡＮにはネットワーク３２へのアクセスポイントが含まれる。
【００１７】
概要として述べれば、本発明は、識別子の基礎となる関連づけられた音楽ファイルがＭＳ２２に格納されているかどうかにかかわりなく、ユーザが、ＭＳにおいてデジタル音楽ファイル用識別子の管理を行うことを可能にするものである。この基礎となるファイルはＰＣ３８または音楽サービス用サーバ３６のみに格納することも可能である。このようにして、ユーザは、どの音楽ファイルがＭＳ２２に格納されているか、どの音楽ファイルがＰＣ３８に格納されているか、そして、音楽サービス用サーバ３８にのみ格納されているかをＭＳ２２の表示画面２４で容易に見ることによって、ＭＳ２２を用いて自分の音楽ファイルライブラリを移動中に動的に管理することも可能となる。ユーザは、曲のタイトルの再生リスト（または別の識別子）をＭＳ２２側で作成し、編集し、ＭＳ２２にまだ格納されていない新たな再生リストにリストされた任意の音楽ファイル、または、すべての音楽ファイルをローカルリンク４４を介してＰＣ３８からアップロードすることができる。ＭＳ２２が音楽サービス用サーバ３６に格納されたデジタル音楽のタイトルリストを格納する場合、ユーザは、ＭＳ２２またはＰＣ３８にまだ格納されていない任意のまたはすべてのリストされた音楽ファイルを移動電話リンク３０を介して音楽用サーバ３６からダウンロードすることも可能である。このようにして、ユーザがすでに購入しているデジタル音楽ファイルの１つのデータベースとしてのＰＣ３８の機能、並びに、ユーザがまだ購入していない他の音楽ファイルのデータベースとしての音楽用サーバ３６の機能がＭＳ２２の表示画面２４によって可能となる。タイトルまたは基礎となる音楽ファイルの別の識別子は、表示されたタイトルの色分けや、タイトルに隣接する特定のアイコンの表示を行うことなどによって、基礎となる音楽ファイルの所在位置に基づいて、違った形でＭＳ２２の表示画面２４に表示される。（再生リスト１；再生リスト２；女性ボーカリスト；スキーミュージックなどの）再生リスト名を違った形で表示して、すべての基礎となる音楽ファイルがＭＳ２２内にあるか、或る音楽ファイルがＰＣ３８内にあるか、或る音楽ファイルが音楽用サーバ３６内にあるか、あるいは、音楽ファイルがＭＳ２２内に１つもないかどうかを示すようにすることも可能である。以下の詳細な説明はＭＳ２２の表示画面２４に言及するものであるが、本発明はＰＣ３８の表示画面４２にも同様に適用されるものである。
【００１８】
図２は、図１のＭＳ２２をブロック図の形で示す図である。これらのブロックは機能ブロックであり、以下に説明する機能は、図２に描かれているように単一の物理的エンティティにより実行してもよいし、実行しなくてもよい。表示画面２４とユーザ入力手段２６とは上述したようなものである。ＭＳは、ＭＳ２２内の諸機能を制御するプロセッサ５０へ電力を供給する内蔵バッテリのような電源４８をさらに備えている。音声入力は、バッファメモリ５４を通じてプロセッサ５０と結合されたものであってもよいマイク５２で受信される。表示ドライバ、変調用アルゴリズム、符号化およびビタビ復号化アルゴリズム等のようなコンピュータプログラムがメモリ格納媒体５６に格納される。このメモリ格納媒体５６は、コンピュータ可読命令とプログラムとを格納するための、当業で公知の電子メモリ格納媒体、光メモリ格納媒体あるいは磁気メモリ格納媒体であってもよい。ＭＳ２２は、第１のＴ／Ｒスイッチ６０を介して一次送信機６２および一次受信機６４と選択的に結合された第１のアンテナ５８を経由し、移動電話リンク３０を介して通信を行う。ＭＳ２２は、第２のＴ／Ｒスイッチを介してブルートゥース（登録商標）送信機７０およびブルートゥース受信装置７２と選択的に結合された第２のアンテナ６６を介してローカルリンク４４を経由して通信を行う。一次アンテナ５８は、マルチチャネル通信用として２以上あってもよく、さらに、第２のアンテナ６６用として機能するものであってもよい。ブルートゥース送信機７０および受信装置７２は、一次送信機６２および一次受信機６４から分離していることが望ましいが、分離している必要はない。ＭＳ２２からの可聴出力はスピーカ７４側で変換される。
【００１９】
本発明によれば、１以上のセットのコンピュータ命令を担持するコンピュータプログラムがコンピュータ可読格納媒体５６に統合される。第１のセットのコンピュータ命令は、複数のデジタル音楽ファイル用識別子を表示し、個々のデジタル音楽ファイル用識別子は基礎となるデジタル音楽ファイルと関連づけられる。図３は、この第１のセットのコンピュータ命令によって指示されるようなＭＳ２２の表示画面３２４（共通の水平線に沿って個々に曲のタイトルと曲のアーティストとをリストする再生リスト名３１０並びに一連の音楽ファイル用識別子３１１〜３１５）を描く図である。ファイル"曲ＡＢＣ"用の（単複の）識別子は、該識別子と関連づけられた音楽ファイルがＭＳ２２内に格納されていることを示すように表示される。ファイル"曲ＤＥＦ"用の（単複の）識別子は、該識別子と関連づけられた音楽ファイルがＰＣ３８内に格納されていることを示すように表示される。
【００２０】
好適には、コンピュータ命令は５つの異なるインジケータを提供するものであることが望ましく、５つのカテゴリのうちのどのカテゴリに個々のファイル識別子が含まれているかを示すものである。これらのインジケータは、識別子テキスト用の異なる色、テキスト用の異なるフォント、テキストファイル識別子に隣接するアイコン、異なる背景等であってもよい。第１のカテゴリまたはインジケータは、基礎となる音楽ファイルがＭＳ２２内に格納されていることを示すものであり、図３の行３１１および３１５によって表されている。第２のカテゴリまたはインジケータは、基礎となる音楽ファイルがＰＣ３８内に格納されているが、ＭＳ２２内には格納されていないことを示すものであり、図３の行３１４によって表されている。ボタン３２６Ａは、好適にはソフトファンクション識別子３１６によってフラグされることが望ましいものであるが、このボタン３２６Ａによって、ユーザは、第２のカテゴリの選択曲または第２のカテゴリのすべての表示曲をＰＣ３８からＭＳ２２へアップロードすることが可能となる。ボタン３２６Ａを押下することによって、ＭＳ２２によるＰＣ３８とのローカル接続４４の開始と、カテゴリ２の（単複の）識別子と関連づけられた基礎となる音楽ファイルの自動アップロードとが行われる。（電波の範囲外などで）直接のローカル接続４４を確立できない場合、次の同期時にまたはＰＣ３８との接続時に、関連づけられた音楽ファイルのアップロードが行われることになる。第３のカテゴリまたはインジケータは、基礎となる音楽ファイルがＭＳ２２とＰＣ３８の双方に格納されていることを示すものである。このカテゴリでは、ＭＳ２２側で音楽ファイルを削除することが可能である。その場合、ＭＳ２２側でのその音楽ファイルの識別子は、カテゴリ２の識別子およびファイルの場合と同様、直接確立されたリンク４４か、次の同期時かのいずれかの時点にＰＣ３８側の音楽ファイルが削除用としてマークされることを示す。第４のカテゴリまたはインジケータは、基礎となる音楽ファイルがユーザによって以前に購入されたものではあるが、（削除、データの紛失、破損ファイルなどで）もはやＰＣ３８内あるいはＭＳ２２内のいずれにも格納されていないため、基礎となる該音楽ファイルが格納されている音楽サービス用サーバ３６からの再ダウンロードが可能であることを示すものである。第５のカテゴリまたはインジケータは、基礎となる音楽ファイルが音楽サービス用サーバ３６内に格納されているが、ユーザがまだ購入していないことを示す。ソフトファンクション・インジケータ３１７によってフラグされた別のボタン３２６Ｃを押下することによって、音楽サービス用サーバ３６にアクセスして、選択したカテゴリ４または５のいずれかの識別子と関連づけられた音楽ファイルをダウンロードするために、あるいは、選択されたマルチ識別子の基礎となる複数のマルチ音楽ファイルをダウンロードするために無線電話リンク３０が開始される。
【００２１】
他のコンポーネントとつながるリンク３０、４４の存在に関係なく、上記５つのカテゴリのうちの任意のカテゴリ用インジケータを表示することも可能である。というのは、音楽ファイル用識別子がＭＳ２２内に格納されているからである。ユーザはどの音楽ファイルがＭＳ２２に常駐しているか、どの音楽ファイルがＰＣ３８に常駐しているか、さらに、ユーザがどの音楽ファイルを事前に購入しているか、そして、当該原曲の使用許諾の範囲内で別のコピーをさらにダウンロードすることも可能であるかをひと目で見ることができる。購入した音楽ファイルのコピーの使用許諾期限が切れた場合、ファイル識別子をカテゴリ４からカテゴリ５へ自動的に移すことも可能である。これらのカテゴリは、一般に、ダウンロード時間が存在する場合、ダウンロード時間に制限が設けられているか、あるいは、ダウンロード回数が存在する場合、ダウンロード回数に制限が設けられている。図３の行３１１および３１５がカテゴリ１の識別子を表す場合、ユーザがＭＳ２２で再生するために"再生リスト１"を選択すると、上記音楽ファイルのみが再生されることになる。
【００２２】
ＭＳ２２は、関連づけられた音楽ファイルから切り離された識別子を格納することによって、ＭＳ２２内に格納されていない音楽ファイル用ファイル識別子の表示を作動可能にする。例えば、ＰＣ３８との同期時に、ＰＣ３８内の音楽ファイルのデータベース用のすべての識別子がＭＳ２２へアップロードされる。アップロードした上記識別子のデータベースと、ＭＳ２２内の音楽ファイルのデータベースとの間で単純な比較を行うことによってカテゴリ１のファイルとカテゴリ２のファイルとの分析が行われる。カテゴリ３のファイルは説明を要しないものである。ユーザは、自分がその同一の音楽ファイルのコピーをＭＳ２２に格納しているか、いないかにかかわらず、識別子と関連づけられた音楽ファイルをＭＳ２２側で削除用としてマークすることができる。カテゴリ４のファイルは以前に削除されていて、ＭＳ２２またはＰＣ３８に関連づけられた音楽ファイルは存在しなくなっている。この削除処理によって、関連づけられた識別子の除去を行う必要はなくなり、カテゴリ４のファイルが残されることになる。カテゴリ５のファイルは音楽サービス用サーバ３６に格納される。ＰＣ３８に格納された音楽ファイル用識別子をＰＣ３８からアップロードする場合と同様、ＭＳ２２は、音楽サービス用サーバ３６から音楽ファイル用識別子のデータベースをダウンロードすることも可能である。このデータベース用として、サーバ３６には関連づけられた音楽ファイルが格納されている。サーバ３６からダウンロードされた上記データベースは、サーバ３６に格納されているすべての音楽ファイルを含むものであってもよく、該データベースはユーザの好みに合わせて特注品に作成することも可能である。ユーザが希望する識別子の対象となる特定のサブセットの音楽ファイルをユーザが明示的に選択するとき、ユーザがダウンロードする音楽ファイルに基づいて、サーバ３６がユーザの好みを推論することにより行われるか、ユーザがすでにブラウズしたり、ダウンロードしたりしたことのある同じアーティストまたは同じアルバム／ＣＤから得られる識別子のみにするように識別子を設定するかのいずれかによって上記特注品の作成を行うようにすることも可能である。約５００，０００曲の音楽ファイル用識別子を担持する１つのファイルでさえ、わずか数曲の音楽ファイル自体を担持する場合とほぼ同量の格納媒体５６しか占有しないため、上記オプションは現在利用可能なＭＳ２２用として実行可能である。上記に関係なく、識別子データベースと、基礎となる音楽ファイルのデータベースとは、ＭＳ２２とＰＣとが同期する度に、そして、ＭＳ２２とサーバ３６とが通信を行う度に更新される。上述したように、同じ表示とカテゴリとをＰＣ３８の表示画面４２に表示することも可能である。その場合、上述のコンピュータプログラムは上記説明に対する明白な修正が行われた状態でＰＣ３８に常駐することになる。
【００２３】
本発明では、上述のコンセプトは、図４に例示のような再生リスト自体と、再生リストのリストを示すＭＳ２２の表示画面４２４とに対しても拡張される。以下に５つの再生リスト名を示す：行４１１の"再生リスト１"；行４１２の"ドライブミュージック"；行４１３の"スキーミュージック"；行４１４の"ロマンティック"；および、行４１５の"再生リスト２"。"再生リスト１"には、例えば、図３に図示のようなカテゴリ１およびカテゴリ２の双方用の音楽ファイル用識別子が含まれる。このような再生リスト名は、例えば橙色によって示すようにしてもよい。橙色の特定のシェードはＭＳ２２対ＰＣ３８及び／又はサーバ３６における基礎となるファイルの量を示すものであってもよい。"ドライブミュージック"と"ロマンティック"とは、代わりに、ＭＳ２２に常駐している基礎となる音楽ファイル用の音楽用識別子のみを含むものであってもよい。そのため、これらの再生リスト名を緑色で示すようにしてもよい。"スキーミュージック"は、例えば識別子のみを含むものであってもよく、該識別子の基礎となる音楽ファイルはＰＣ３８のみに常駐する。そのため、"スキーミュージック"は黄色で示すようにしてもよい。"再生リスト２"はファイル識別子のみを含むものであってもよく、該ファイル識別子の基礎となる音楽ファイルはサーバ３６のみに格納され、ＰＣ３８あるいはＭＳ２２には格納されていない。そして上記音楽ファイルは赤色によって示すようにしてもよい。表示画面４２４に同時に表示できる数よりも多数の再生リストが存在する場合、当業で公知のようにスクロール・バー４１８を追加してもよい。
【００２４】
"再生リスト１"は、ＭＳ２２に常駐する関連づけられた音楽ファイル用のいくつかのファイル識別子を含み、ＰＣ３８には常駐するが、ＭＳ２２には常駐しない関連づけられた音楽ファイル用のいくつかのファイル識別子を含み、さらに、サーバ３６には常駐するが、ＰＣ３８またはＭＳ２２には常駐しない関連づけられた音楽ファイル用のいくつかのファイル識別子を含むものと仮定する。図４に示すように、ユーザは、再生リスト名の背後にあるシェードされた背景によって該再生リスト名の選択を行うことも可能である。ソフトファンクション・インジケータ４１６により特定される単一のボタン４２６Ａを押下することによって、ＰＣ３８とのローカル接続４４の開始と、再生リストで識別子と関連づけられたすべての音楽ファイルのＰＣ３８からのアップロードと、ＭＳ２２に予め格納された音楽ファイルの保存とをＭＳ２２に行わせることになる（上記とは別に、すべてのこのようなファイルをアップロードし、ＭＳ２２に予め格納されているファイルを上書きするようにしてもよい）。接続４４が直接利用できない場合、音楽ファイルは次の同期時のアップロードのためにマークされることになる。別のソフトファンクション・インジケータ４１７によって特定されるような別の単一ボタン４２６Ｃを押下することによって、音楽サービス用サーバ３６との移動電話接続３０の開始処理と、ＰＣ３８またはＭＳ２２に格納されていないものとしてマークされた識別子であって、上記再生リストに載っている識別子と関連づけられたすべての音楽ファイルをサーバ３６からダウンロードする処理とをＭＳ２２に行わせることになる。ユーザ課金データは、前回の取引からサーバ３６側に格納され、ユーザからのより少数のキーストロークによって取引の実行が可能となる。
【００２５】
図５に図示のように、ある特定のアーティスト用として類似の機能を利用することも可能である。アーティスト名は、アルバム／ＣＤ名または他の識別子のリストと共に表示画面５２４に表示される。たとえ音楽ファイルが上記アルバム／ＣＤからＭＳ２２に格納されない場合であっても、上記記載のようにこれらの識別子をＭＳ２２に格納することが可能である。上記アルバム／ＣＤ名は、図４の再生リスト名の場合と同様に表示される。赤色は、上記アルバム／ＣＤから得られるすべての音楽ファイルまたはトラックが、サーバ３６で利用可能であるが、ＭＳ２２またはＰＣ３８には格納されていないことを示す。橙色のシェードは、上記アルバム／ＣＤ用の音楽ファイルの変動する割合が、ＭＳ２２と、ＰＣ３８と、サーバ３６とを任意にミックスした装置に格納されていることを示す。黄色は、上記アルバム／ＣＤ用のすべての音楽ファイルがＰＣ３８に格納されているが、ＭＳ２２には格納されていないことを示す。そして、緑色は、上記アルバム／ＣＤ用のすべての音楽ファイルがＭＳ２２に格納されていることを示す。ユーザは、アルバム／ＣＤ識別子用の、行５１３に図示のような特別のアルバム／ＣＤ"ライブ・イン・オウル"を強調表示することも可能である。ソフトファンクション・インジケータ５１６により特定された単一のボタン５２６Ａを押下することによって、ＰＣ３８とのローカル接続４４の開始と、選択済みアルバム／ＣＤ名と関連づけられたすべての音楽ファイルのＰＣ３８からのアップロードと、ＭＳ２２に予め格納された音楽ファイルの保存とをＭＳ２２に行わせることになる（上記とは別に、すべてのこのようなファイルをアップロードし、ＭＳ２２に予め格納されているファイルを上書きするようにしてもよい）。接続４４が直接利用できない場合、音楽ファイルは次の同期時のアップロードのためにマークされることになる。別のソフトファンクション・インジケータ５１７によって特定されるような別の単一ボタン５２６Ｃを押下することによって、音楽サービス用サーバ３６との移動電話接続３０の開始処理と、ＰＣ３８またはＭＳ２２に格納されていないものとしてマークされた選択済みアルバム／ＣＤ識別子であって、選択済みアルバム／ＣＤ識別子と関連づけられたすべての音楽ファイルをサーバ３６からダウンロードする処理とをＭＳ２２に行わせることになる。
【００２６】
しかし、ユーザは、図５に記載のように、アルバム／ＣＤの残りのトラックすべてのアップロードまたはダウンロードを常に行わないように望むことも可能である。図６によれば、表示画面６２４は、唯一の特別のアルバム／ＣＤと関連づけられた音楽ファイルをさらにリストするようにしてもよい。図５の"ガールバンド"の"ライブ・イン・オウル"アルバム／ＣＤ識別子を続けると、図６は上記アルバム／ＣＤから（必要な場合、スクロール・バー６１８を用いて）すべての音楽ファイル６１１〜６１５をリストする図である。これらの音楽識別子は、図３の再生リストの音楽ファイルと関連して、上記記載のように基礎となる音楽ファイルが属するカテゴリ表示を担持する。ユーザ入力に後続するファイル識別子のうちの１つの識別子のみをボタン６１６、６１７を介して選択することによって、上記ケースのような、関連づけられた音楽ファイルのローカルリンク４４を介するアップロードまたは無線電話リンク３０を介するダウンロードが実行される。
【００２７】
上記記載の複数セットのコンピュータ命令は、特に説明したようにＭＳ２２に常駐してもよいし、あるいは、小さな自明の修正を行ってＰＣ３８に常駐するようにしてもよい。ローカルリンク４４を確立できない場合、コンピュータプログラムは、第１の試行時に上記ファイル識別子を好適にマークして、別の装置（ＰＣ３８またはＭＳ２２）との次の同期時に（アップロード、削除などの）意図された行為を実施する。移動電話リンク３０を確立できない場合、コンピュータプログラムは、第１の試行時に上記ファイル識別子を好適にマークして、サーバ３６との同期後であって、しかも、サーバ３６の次のアクセスの前に、現在の装置２２、３８か、別の装置３８、２２かのいずれかを介してユーザがサーバ３６にアクセスする次回に、（ダウンロードなどの）意図された行為を実施する。
【００２８】
表示画面２４、４２のいずれかをほんの２、３回ちょっと見るだけで、ユーザがＭＳ２２とＰＣ３８との双方における自分の音楽ライブラリの状態をより良好に査定できることに加えて、本発明は、ユーザが再生リストの作成と、編集と、自分のＭＳ２２からの削除とを行うこと可能にし、それによって、ユーザが移動中に入力した変更に基づいて、リンク３０、４４を介して再生リストを動的に更新するようにするものである。例えば、友人が、自分の推奨する新しい曲のタイトルについて電子メールやＳＭＳを行うようにすることも可能である。ユーザは電子メールした曲のタイトルを再生リストに張りつけ、ユーザが、ＭＳ２２かＰＣ３８かのいずれかにその曲用の音楽ファイルのコピーを所有しているかどうかを直接調べることが可能となる。
【００２９】
友人が再生リスト全体を電子メールする場合、類似の機能を達成することも可能である。再生リスト内の個々のタイトルは、適切なものとして、ＭＳ２２及び／又はＰＣ３８に格納された基礎となる音楽ファイルに対応づけられている。しかし、ＭＳ２２とＰＣ３８間にデータ接続が存在していない場合、ＭＳ２２へ再生リストを電子メールする際に、基礎となる対応ファイルが（ＰＣ３８などの）別の装置に格納されている旨が再生リストの或る種のタイトルによって正確に示されない場合もある。上記の不正確さはＭＳ２２とＰＣ３８との次の同期時に訂正されることになる。一般に、本発明の改善されたユーザ環境によって、ユーザは、本発明のプログラムを利用するＭＳ用の携帯用専用音楽プレイヤおよびＭＳを携帯せずに済ますことが可能となる。
【００３０】
本発明を限定するものではない例示の実施例による上記の説明によって、本発明を構成するために本願発明者らが現在想定する十分でかつ最善の方法および装置についての情報に富む記載を行った。しかし、添付図面および添付の請求項と共に本明細書を読むとき、上記説明に鑑み、当業者には種々の変更および適合化が明らかになるかもしれない。例えば、ブルートゥースやケーブルリンクのような、ＭＳとＰＣとがそれらの間で一体に機能するアクティブなリンクを有しているとき、ＭＳはネットワークベースのサーバからのダウンロードをＰＣを介して要求するかもしれない。ＭＳが、データベースとつながる２つの異なるリンク用のオプションを有することも可能な場合、（より高いデータ転送レート能力を示すリンクのような）利用可能な最善のリンクを介して、選択済みの曲をダウンロードすることが可能となり、それによってＭＳまでＰＣリンクとつながるブロードバンドのケーブルを選択して、移動電話リンクを介してメディアファイルのダウンロードが行われることになる。さらに、ＭＳは、或る一定の予め定めたデータ転送レートの測定が行われるまでは、そして、該測定が行われなければ、ユーザが選択したタイトルの曲をダウンロードすることを目的とするリンクが確立されないようにすることも可能であり、これによって、良好でない、あるいは低スループットのリンクのみが利用可能なとき、ユーザ要求に自動的に応じることがないようにされる。本発明の教示のすべての上記のような変更、並びに、同様の変更はそれでも本発明の範囲に属することになる。さらに、本発明の特徴のいくつかを利用して、他の特徴の対応する利用を伴うことなく、利益をもたらすようにすることが可能である。したがって、上述の説明は、本発明の原理の単に例示的な記載と考えることが望ましく、本発明を限定するものと考えるべきではない。
【図面の簡単な説明】
【００３１】
【図１】本発明が最も好適に作動する通信システムである。
【図２】本発明のコンピュータプログラムが格納されている移動局である。
【図３】基礎となる音楽ファイルがどこに格納されているかを特定する音楽ファイルタイトルの再生リストを示す、ＭＳ側での例示的な表示である。
【図４】再生リストのリストを示す、ＭＳ側での例示的な表示であり、個々の再生リストによって、タイトルの基礎となる音楽ファイルが該再生リスト内のどこに格納されているかが特定される。
【図５】１つのバンドによるＣＤのリストを示すＭＳ側での例示的な表示であり、個々のＣＤは、該ＣＤ内の音楽ファイルがどこに格納されているかによって特定される。
【図６】１つのＣＤのリスト並びにそのトラックのＭＳ側での例示的な表示であり、個々のトラックは基礎となるファイルがどこに格納されているかによって特定される。
【図１】
2007534009.tif 000003
【図２】
2007534009.tif 000004
【図３】
2007534009.tif 000005
【図４】
2007534009.tif 000006
【図５】
2007534009.tif 000007
【図６】
2007534009.tif 000008
【国際調査報告】
2007534009.tif 000009
2007534009.tif 000010
2007534009.tif 000011